(57)【要約】【課題】効率良く消臭剤溶液と芳香剤溶液とを蒸発させ、この蒸発した消臭剤と芳香剤とを混合して、混合気体の蒸散し、消臭および芳香を行うことができる蒸散装置および蒸散方法を提供する。【解決手段】本発明の蒸散装置Ａは、蒸発室１内において消臭剤溶液ｓと芳香剤溶液ｈとを同時に蒸発させ、この蒸発した消臭剤と芳香剤とを混合して、この混合気体ｋの蒸散を行う蒸散装置であって、蒸発室１内に設けられ消臭剤溶液ｓを蒸発させる第１の蒸発手段２と、この第１の蒸発手段２に消臭剤溶液ｓを供給する第１の供給手段３と、蒸発室１内に設けられ芳香剤溶液ｈを蒸発させる第２の蒸発手段４と、この第２の蒸発手段４に芳香剤溶液ｈを供給する第２の供給手段５と、蒸発室１に設けられ混合気体ｋを放出する放出口７とを備えているものである。【選択図】図１
2009131352.tif 000002
【特許請求の範囲】
【請求項１】
蒸発室内において消臭剤溶液と芳香剤溶液とを同時に蒸発させ、この蒸発した消臭剤と芳香剤とを混合して、この混合気体の蒸散を行う蒸散装置であって、
前記蒸発室内に設けられ前記消臭剤溶液を蒸発させる第１の蒸発手段と、
この第１の蒸発手段に前記消臭剤溶液を供給する第１の供給手段と、
前記蒸発室内に設けられ前記芳香剤溶液を蒸発させる第２の蒸発手段と、
この第２の蒸発手段に前記芳香剤溶液を供給する第２の供給手段と、
前記蒸発室に設けられ前記混合気体を放出する放出口とを備えていることを特徴とする蒸散装置。
【請求項２】
蒸発室内において不揮発成分を含んだ消臭剤溶液と、芳香剤溶液とを同時に蒸発させ、この蒸発した消臭剤と芳香剤とを混合して、この混合気体の蒸散を行う蒸散装置であって、
第１の蒸発手段において蒸発せずに残留した消臭剤溶液の残留液を回収する消臭剤回収手段を備えていることを特徴とする請求項１記載の蒸散装置。
【請求項３】
蒸発室内において消臭剤溶液と不揮発成分を含んだ芳香剤溶液とを同時に蒸発させ、この蒸発した消臭剤と芳香剤とを混合して、この混合気体の蒸散を行う蒸散装置であって、
第２の蒸発手段において蒸発せずに残留した芳香剤溶液の残留液を回収する芳香剤回収手段を備えていることを特徴とする請求項１または２記載の蒸散装置。
【請求項４】
消臭剤溶液を加熱する消臭剤加熱手段および芳香剤溶液を加熱する芳香剤加熱手段の内、少なくともいずれか一方を備えていることを特徴とする請求項１〜３記載の蒸散装置。
【請求項５】
蒸発室内において不揮発成分を含んだ消臭剤溶液と不揮発成分を含まない芳香剤溶液とを同時に蒸発させ、この蒸発した消臭剤と芳香剤とを混合して、この混合気体を前記蒸発室に設けられた放出口から蒸散させる蒸散方法であって、
前記芳香剤溶液を蒸発させる第２の蒸発手段の蒸発部位の温度を、前記消臭剤溶液を蒸発させる第１の蒸発手段の蒸発部位の温度よりも低くすることを特徴とする蒸散方法。
【請求項６】
請求項１〜４記載のいずれか１項に記載の蒸散装置を用い、この蒸散装置の放出口を、室内に空気を導入する空調ダクトに連通させ、この空調ダクト内の気流を検知し、この検知に基づき第１の供給手段により消臭剤溶液を第１の蒸発手段に供給すると共に第２の供給手段により芳香剤溶液を第２の蒸発手段に供給し、蒸発室内において前記消臭剤溶液と前記芳香剤溶液とを同時に蒸発させ、この蒸発した消臭剤と芳香剤とを混合し、この混合気体を、前記放出口を介して前記空調ダクト内に蒸散させ、前記室内の消臭および芳香を行うことを特徴とする蒸散方法。
【請求項７】
空調ダクトは、既設のものであることを特徴とする請求項６記載の蒸散方法。
【発明の詳細な説明】
【技術分野】
【０００１】
本発明は、蒸発室内において消臭剤溶液と芳香剤溶液とを同時に蒸発させ、この蒸発した消臭剤と芳香剤とを混合して、混合気体の蒸散を行う蒸散装置および蒸散方法に関する。
【背景技術】
【０００２】
従来、室内の消臭または芳香を行うものとして、回転円盤上に消臭剤溶液等を滴下して飛散させ、この回転円盤の周囲に加熱体を配設し、飛散した消臭剤溶液等を加熱して蒸発させる蒸散装置が提案されている（例えば、特許文献１の図１参照）。
【特許文献１】特開平９−２０１４０７号公報
【発明の開示】
【発明が解決しようとする課題】
【０００３】
しかしながら、このような蒸散装置を用いる場合にあっては、消臭剤溶液と芳香剤溶液とを同じ回転円盤（蒸発手段）上に滴下して使用すると、消臭剤と芳香剤とに含まれる成分の違いから所定の蒸発速度が得られなかったり、加熱による有効成分の熱分解が発生したりしてしまい、目的とする消臭および芳香の作用効果を得ることができず、加えて、これらの溶液に界面活性剤などの不揮発成分を含む場合にあっては、不揮発成分が蒸発手段において固化してたい積し、消臭剤溶液や芳香剤溶液の円滑な流通が阻害されてしまうという問題点があった。
【０００４】
本発明は、上述した問題点を解決するためになされたものである。
【課題を解決するための手段】
【０００５】
請求項１に係る発明は、蒸発室内において消臭剤溶液と芳香剤溶液とを同時に蒸発させ、この蒸発した消臭剤と芳香剤とを混合して、この混合気体の蒸散を行う蒸散装置であって、前記蒸発室内に設けられ前記消臭剤溶液を蒸発させる第１の蒸発手段と、この第１の蒸発手段に前記消臭剤溶液を供給する第１の供給手段と、前記蒸発室内に設けられ前記芳香剤溶液を蒸発させる第２の蒸発手段と、この第２の蒸発手段に前記芳香剤溶液を供給する第２の供給手段と、前記蒸発室に設けられ前記混合気体を放出する放出口とを備えている蒸散装置である。
【０００６】
請求項２に係る発明は、請求項１記載の蒸散装置において、蒸発室内において不揮発成分を含んだ消臭剤溶液と、芳香剤溶液とを同時に蒸発させ、この蒸発した消臭剤と芳香剤とを混合して、この混合気体の蒸散を行う蒸散装置であって、第１の蒸発手段において蒸発せずに残留した消臭剤溶液の残留液を回収する消臭剤回収手段を備えているものである。
【０００７】
請求項３に係る発明は、請求項１または２記載の蒸散装置において、蒸発室内において消臭剤溶液と不揮発成分を含んだ芳香剤溶液とを同時に蒸発させ、この蒸発した消臭剤と芳香剤とを混合して、この混合気体の蒸散を行う蒸散装置であって、第２の蒸発手段において蒸発せずに残留した芳香剤溶液の残留液を回収する芳香剤回収手段を備えているものである。
【０００８】
請求項４に係る発明は、請求項１〜３記載の蒸散装置において、消臭剤溶液を加熱する消臭剤加熱手段および芳香剤溶液を加熱する芳香剤加熱手段の内、少なくともいずれか一方を備えているものである。
【０００９】
請求項５に係る発明は、蒸発室内において不揮発成分を含んだ消臭剤溶液と不揮発成分を含まない芳香剤溶液とを同時に蒸発させ、この蒸発した消臭剤と芳香剤とを混合して、この混合気体を前記蒸発室に設けられた放出口から蒸散させる蒸散方法であって、前記芳香剤溶液を蒸発させる第２の蒸発手段の蒸発部位の温度を、前記消臭剤溶液を蒸発させる第１の蒸発手段の蒸発部位の温度よりも低くする蒸散方法である。
【００１０】
請求項６に係る発明は、請求項１〜４記載のいずれか１項に記載の蒸散装置を用い、この蒸散装置の放出口を、室内に空気を導入する空調ダクトに連通させ、この空調ダクト内の気流を検知し、この検知に基づき第１の供給手段により消臭剤溶液を第１の蒸発手段に供給すると共に第２の供給手段により芳香剤溶液を第２の蒸発手段に供給し、蒸発室内において前記消臭剤溶液と前記芳香剤溶液とを同時に蒸発させ、この蒸発した消臭剤と芳香剤とを混合し、この混合気体を、前記放出口を介して前記空調ダクト内に蒸散させ、前記室内の消臭および芳香を行う蒸散方法である。
【００１１】
請求項７に係る発明は、請求項６記載の蒸散方法において、空調ダクトは、既設のものである。
【発明の効果】
【００１２】
請求項１記載の蒸散装置によれば、蒸発室内に設けられ消臭剤溶液を蒸発させる第１の蒸発手段と、この第１の蒸発手段に消臭剤溶液を供給する第１の供給手段と、前記蒸発室内に設けられ芳香剤溶液を蒸発させる第２の蒸発手段と、この第２の蒸発手段に前記芳香剤溶液を供給する第２の供給手段とを備えているため、消臭剤溶液および芳香剤溶液の成分を考慮して各別に各溶液に合った蒸発環境において蒸発させることができ、所望の蒸発が得られて目的とする消臭および芳香の作用効果を得ることができる。
【００１３】
請求項２記載の蒸散装置によれば、請求項１に記載の蒸散装置の効果に加え、不揮発成分を含んだ消臭剤溶液と、芳香剤溶液とを同時に蒸発させ、蒸発せずに残留した消臭剤溶液の残留液を回収する消臭剤回収手段を備えているため、残留液中の不揮発成分が第１の蒸発手段において固化してたい積するのを防ぐことができ、消臭剤溶液の円滑な流通が阻害されるのを防止することができる。
【００１４】
請求項３記載の蒸散装置によれば、請求項１または２に記載の蒸散装置の効果に加え、消臭剤溶液と不揮発成分を含んだ芳香剤溶液とを同時に蒸発させ、蒸発せずに残留した芳香剤溶液の残留液を回収する芳香剤回収手段を備えているため、残留液中の不揮発成分が第２の蒸発手段で固化してたい積するのを防ぐことができ、芳香剤溶液の円滑な流通が阻害されるのを防止することができる。
【００１５】
請求項４記載の蒸散装置によれば、請求項１〜３に記載の蒸散装置の効果に加え、消臭剤溶液を加熱する消臭剤加熱手段および芳香剤溶液を加熱する芳香剤加熱手段の内、少なくともいずれか一方を備えているため、この加熱手段による加熱により消臭剤溶液または／および芳香剤溶液の蒸発を促進させることができ、混合気体を効率良く蒸散させることができる。
【００１６】
請求項５記載の蒸散方法によれば、不揮発成分を含んだ消臭剤溶液と不揮発成分を含まない芳香剤溶液とを同時に蒸発させ、前記芳香剤溶液を蒸発させる第２の蒸発手段の蒸発部位の温度を、前記消臭剤溶液を蒸発させる第１の蒸発手段の蒸発部位の温度よりも低くするため、消臭剤溶液を迅速に蒸発させつつ、芳香剤溶液の蒸発を抑え、芳香剤溶液中の不揮発成分が固化して芳香剤溶液の円滑な流通が妨げられるのを抑制することができる。
【００１７】
請求項６記載の蒸散方法によれば、請求項１〜４記載のいずれか１項に記載の蒸散装置を用い、この蒸散装置の放出口を、室内に空気を導入する空調ダクトに連通させ、この空調ダクト内の気流を検知し、この検知に基づき第１の供給手段により消臭剤溶液を第１の蒸発手段に供給すると共に第２の供給手段により芳香剤溶液を第２の蒸発手段に供給し、蒸発室内において前記消臭剤溶液と前記芳香剤溶液とを同時に蒸発させ、この蒸発した消臭剤と芳香剤とを混合し、この混合気体を、前記放出口を介して前記空調ダクト内に蒸散させるため、空調ダクト内の気流に乗せて消臭剤と芳香剤の混合気体を搬送させることができ、簡易に室内の消臭および芳香を行うことができる。
【００１８】
請求項７記載の蒸散方法によれば、請求項６に記載の蒸散方法の効果に加え、空調ダクトは、既設のものであるため、この既設の空調ダクトを利用することにより、新たな空調ダクトを設置する手間とコストを抑えて簡易に室内の消臭および芳香を行うことができる。
【発明を実施するための最良の形態】
【００１９】
本発明の第１の実施例を、図１〜４に基づき説明する。図１〜３において、Ａは本発明に係る蒸散装置であり、蒸発室１内において消臭剤溶液ｓと芳香剤溶液ｈとを同時に蒸発させ、この蒸発した消臭剤と芳香剤とを混合して、この混合気体ｋの蒸散を行うもので、蒸散装置Ａは、概略的に、第１の蒸発手段２と、第１の供給手段３と、第２の蒸発手段４と、第２の供給手段５と、放出口７とにより構成されている。
【００２０】
第１の蒸発手段２は、蒸発室１内に設けられ消臭剤溶液ｓを蒸発させるものであり、例えば、図１に示したように、モータなどの回転手段２２と、この回転手段２２の回転軸２３に接続され水平に回転すると共に、第１のノズル３１から消臭剤溶液ｓが滴下される回転円盤２１とを備えている。
【００２１】
第１の供給手段３は、第１の蒸発手段２に消臭剤溶液ｓを供給するものであり、例えば、図３に示したように、タンク３２に入った消臭剤溶液ｓをポンプ３４によりパイプ３３を介して吸引し、パイプ３５および第１のノズル３１（図１参照）を介して送出して第１の蒸発手段２に供給するものである。
【００２２】
第２の蒸発手段４は、蒸発室１内に設けられ芳香剤溶液ｈを蒸発させるものであり、例えば、図１、２に示したように、前述の第１の蒸発手段２を取り囲むように環状に設けられた環状部材４１であり、この環状部材４１は第２のノズル５１により供給された芳香剤溶液ｈを流通させると共に上部が開口した溝部４２を備えている。
【００２３】
第２の供給手段５は、第２の蒸発手段４に芳香剤溶液ｈを供給するものであり、例えば、図３に示したように、芳香剤容器５２に入った芳香剤溶液ｈをポンプ５４によりパイプ５３を介して吸引し、パイプ５５および第２のノズル５１（図１参照）を介して送出して第２の蒸発手段４に供給するものである。
【００２４】
放出口７は、蒸発室１に設けられ蒸発した消臭剤と芳香剤とが混合した混合気体ｋを放出する開口であり、蒸発室１の上部に設けられている。
【００２５】
ここで、上述した蒸散装置Ａには、消臭剤溶液ｓを加熱する消臭剤加熱手段２５（図１参照）または／および芳香剤溶液ｈを加熱する芳香剤加熱手段（図示せず）を備えさせることができる。消臭剤加熱手段２５は、例えば、図１、２に示したように、回転円盤２１の回転軸２３と同じ中心軸を有し、回転円盤２１の周囲を取り囲む略円筒状の筒状部材２５１と、ヒータ取付部材２５２を介して筒状部材２５１の外周に設けられたヒータ２５３とにより構成されている。なお、前述のヒータ取付部材２５２を設けずに筒状部材２５１に直接ヒータ２５３を取り付けたり、筒状部材２５１に発熱体を埋設してヒータとして用いてもよい。この消臭剤加熱手段２５または／および芳香剤加熱手段を設けて加熱すれば、揮発性の低い消臭剤溶液ｓや芳香剤溶液ｈであっても迅速に蒸発させることが可能となる。
【００２６】
次に、前述のように構成される本発明の第１の実施例に係る蒸散装置Ａの作用について、図４に基づき説明する。蒸散装置Ａを作動させ、図３に示したポンプ３４によりタンク３２内の消臭剤溶液ｓを吸引して第１のノズル３１に送出すると、この第１のノズル３１から消臭剤溶液ｓが第１の蒸発手段２に供給されて回転円盤２１上に滴下される。同様に、ポンプ５４により芳香剤容器５２内の芳香剤溶液ｈを吸引して第２のノズル５１に送出すると、この第２のノズル５１から芳香剤溶液ｈが第２の蒸発手段４に供給されて環状部材４１の溝部４２内に滴下される。
【００２７】
そして、図４（ａ）、（ｂ）に示したように、第１の蒸発手段２において、第１の供給手段３により供給された消臭剤溶液ｓが回転手段２２により水平に回転している回転円盤２１上面の略中心部に滴下されると、この消臭剤溶液ｓは、回転による遠心力により回転円盤２１の離心方向に向かって液滴が細かくなりながら飛散して蒸発する。なお、前述のように消臭剤加熱手段２５（図１参照）を設け、筒状部材２５１をヒータ２５３により予め加熱しておけば、飛散した消臭剤溶液ｓが加熱されて瞬時に、あるいは筒状部材２５１に接触するとすぐに蒸発し、より一層迅速に蒸発をさせることができる。
【００２８】
一方、第２の蒸発手段４において、第２の供給手段５により供給された芳香剤溶液ｈが環状部材４１の溝部４２内に滴下されると、この芳香剤溶液ｈは、図４（ａ）に示したように、環状の溝部４２に沿って第１の蒸発手段２の周囲を流通し、図４（ｂ）に示したように、この流通過程で蒸発して、同じく蒸発した前述の消臭剤と蒸発室１内で混合され、この混合気体ｋは放出口７を介して蒸散される。なお、芳香剤加熱手段（図示せず）を設ける場合にあっては、この芳香剤加熱手段の加熱により芳香剤溶液ｈをより一層迅速に蒸発をさせることができる。
【００２９】
ところで、消臭剤溶液ｓまたは／および芳香剤溶液ｈに不揮発成分を含む場合には、第１の蒸発手段２において蒸発せずに残留した消臭剤溶液ｓの残留液を回収する消臭剤回収手段（図示せず）や、第２の蒸発手段４において蒸発せずに残留した芳香剤溶液ｈの残留液を回収する芳香剤回収手段６（図１参照）を設けてもよく、例えば、芳香剤回収手段６を設ける場合にあっては、図１に示したように、環状部材４１の溝部４２の底部にドレイン６１を設け、パイプ６２を介して芳香剤回収容器６３に接続して芳香剤の残留液を貯留するようにしてもよい。
【００３０】
この消臭剤回収手段または／および芳香剤回収手段６を設けることにより、消臭剤溶液ｓや芳香剤溶液ｈ中に、界面活性剤などの不揮発成分を含む場合であっても、この不揮発成分が第１の蒸発手段２や第２の蒸発手段４において固化してたい積するのを防止することができ、消臭剤溶液ｓや芳香剤溶液ｈの円滑な流通を確保することができる。
【００３１】
なお、不揮発成分を含んだ消臭剤溶液ｓと不揮発成分を含まない芳香剤溶液ｈとを同時に蒸発させる場合にあっては、消臭剤加熱手段２５により加熱の度合いを調整し、芳香剤溶液ｈを蒸発させる第２の蒸発手段４の蒸発部位（芳香剤溶液ｈが蒸発する部位）の温度を、消臭剤溶液ｓを蒸発させる第１の蒸発手段２の蒸発部位（消臭剤溶液ｓが蒸発する部位）の温度よりも低くして蒸発させるのが好ましい。これにより、消臭剤溶液ｓを迅速に蒸発させつつ、芳香剤溶液ｈの蒸発を抑え、芳香剤溶液ｈ中の不揮発成分が固化して芳香剤溶液ｈの円滑な流通が妨げられるのを抑制することができる。
【００３２】
次に、本発明の第２の実施例を、図５、６に基づき説明する。本実施例にあっては上述した蒸散装置Ａを用い、この蒸散装置Ａの放出口７を室内９６に空気を導入する空調ダクト９１に連通させ、室内９６内の消臭および芳香を行うものであり、例えば、図５に示したように、蒸散装置Ａと空調ダクト９１とを通気管８により連通し、空調ダクト９１内にこの空調ダクト９１内の気流を検知する検知器９２を設け、この検知器９２からの検知信号ｍを制御器９３で受信するもので、気流を検知したときは、この検知に基づき、制御器９３から制御信号ｎを蒸散装置Ａに送信して蒸散装置Ａを作動させ、第１の供給手段３により消臭剤溶液ｓを第１の蒸発手段２に供給すると共に第２の供給手段５により芳香剤溶液ｈを第２の蒸発手段４に供給し、蒸発室１内において消臭剤溶液ｓと芳香剤溶液ｈとを同時に蒸発させ、この蒸発した消臭剤と芳香剤とを混合し、この混合気体ｋを、放出口７を介して空調ダクト９１内に蒸散させるものである。
【００３３】
したがって、検知器９２により気流を検知したときには、この気流による空調ダクト９１内の静圧の低下により蒸散装置Ａから放出された混合気体ｋが空調ダクト９１内に吸引され、この空調ダクト９１内の気流に乗って消臭剤と芳香剤との混合気体ｋを搬送させることができ、図６に示したように、送風口９５を介して室９６内に混合気体ｋを吹き出させ、簡易に室９６内の消臭および芳香を行うことができる。
【００３４】
ところで、上述した空調ダクト９１は既設のものを用い、この既設の空調ダクトに本発明の蒸散装置Ａを取り付ければ、新たな空調ダクトを設置する手間とコストを抑えて簡易に室内の消臭および芳香を行うことができる。
【図面の簡単な説明】
【００３５】
【図１】本発明の蒸散装置の要部を示した断面図である。
【図２】図１のＸ−Ｘ線で切断した図である。
【図３】図１を含む本発明の蒸散装置を示した図である。
【図４】図１の作動状態を説明するための概略図であり、図４（ａ）は平面図を、図４（ｂ）は縦断面図をそれぞれ示している。
【図５】本発明の第２の実施例を説明するための図であり、図１の蒸散装置を空調ダクトに取り付けたときの概略図を示している。
【図６】図５の空調ダクトを室内に配管した状態を示した図である。
【符号の説明】
【００３６】
Ａ          蒸散装置
ｓ          消臭剤溶液
ｈ          芳香剤溶液
１          蒸発室
２          第１の蒸発手段
３          第１の供給手段
４          第２の蒸発手段
５          第２の供給手段
６          芳香剤回収手段
７          放出口
９１        空調ダクト
９２        検知器
９６        室
【図１】
2009131352.tif 000003
【図２】
2009131352.tif 000004
【図３】
2009131352.tif 000005
【図４】
2009131352.tif 000006
【図５】
2009131352.tif 000007
【図６】
2009131352.tif 000008